(57)【特許請求の範囲】
【請求項１】
車両の部品に取り付けられる上方に開放された収納容器であって、
前記車両の部品に取り付けられる第１の壁と、
前記第１の壁に接続された第２の壁と、
前記第１の壁と前記第２の壁とに接続された側壁と、
前記第１の壁における前記車両の部品に取り付ける側の逆側の面に取り付けられるカバーと、を備え、
前記第１の壁には、前記車両の部品に係合する下側係合部と上側係合部とが横方向の両側それぞれに配置されており、
前記第１の壁の前記横方向の両側に配置された前記下側係合部と前記上側係合部とは、前記横方向にずれて配置されており、
前記第１の壁の前記横方向の両側に配置された前記下側係合部及び前記上側係合部のうち一部が螺合部材による螺合によって、残りが弾性変形による復元力によって、前記車両の部品と係合し、
前記カバーは、前記下側係合部と前記上側係合部を覆い、
前記下側係合部は、前記上側係合部よりも前記横方向において内側に形成され、
前記第１の壁は、前記横方向両端側に前記側壁を取り付ける側壁取付部を有し、
前記第１の壁における前記横方向における前記側壁取付部と前記下側係合部の間に、前記カバーを取り付けるためのカバー取付部が形成されていることを特徴とする収納容器。
【請求項２】
車両の部品に取り付けられる上方に開放された収納容器であって、
前記車両の部品に取り付けられる第１の壁を備え、
前記第１の壁には、前記車両の部品に係合する下側係合部と上側係合部とが横方向の両側それぞれに配置されており、
前記第１の壁の前記横方向の両側に配置された前記下側係合部及び前記上側係合部のうち一部が螺合部材による螺合によって、残りが弾性変形による復元力によって、前記車両の部品と係合し、
前記上側係合部は前記螺合部材であり、前記下側係合部は弾性変形部材であることを特徴とする収納容器。
【請求項３】
車両の部品に取り付けられる上方に開放された収納容器であって、
前記車両の部品に取り付けられる第１の壁と、
前記第１の壁に接続された第２の壁と、を備え、
前記第１の壁には、前記車両の部品に係合する下側係合部と上側係合部とが横方向の両側それぞれに配置されており、
前記第１の壁の前記横方向の両側に配置された前記下側係合部及び前記上側係合部のうち一部が螺合部材による螺合によって、残りが弾性変形による復元力によって、前記車両の部品と係合し、
前記第１の壁と前記第２の壁とは、折り畳み可能に接続されており、
前記第１の壁における前記下側係合部及び前記上側係合部の前記横方向外側近傍に、前記第２の壁に係合して折り畳み状態に維持する折り畳み係合部が形成されており、
前記第１の壁における前記折り畳み係合部の裏側には、前記車両の部品に取り付けられる側に膨出する膨出部が形成されていることを特徴とする収納容器。
【請求項４】
前記下側係合部は、前記上側係合部よりも前記横方向において内側に形成されていることを特徴とする請求項２又は３に記載の収納容器。
【請求項５】
請求項１乃至４のいずれか一項に記載の収納容器と、
前記車両の部品と前記第１の壁との間に配置され、前記収納容器を前記車両の部品に取り付ける容器取付プレートと、を備え、
前記下側係合部及び前記上側係合部のうちの前記一部は、前記第１の壁と前記容器取付プレートとを螺合し、
前記下側係合部及び前記上側係合部のうちの前記残りは、前記第１の壁と前記容器取付プレートとに係合し、
前記容器取付プレートを介して前記収納容器を前記車両の部材に取り付けることを特徴とする収納容器ユニット。
【請求項６】
前記容器取付プレートは、前記第１の壁を取り付けるための前記螺合部材と一体的に形成された板状部材を備えることを特徴とする請求項５に記載の収納容器ユニット。
【請求項７】
前記容器取付プレートは、前記第１の壁と対向する面に形成された凹部を有することを特徴とする請求項５又は６に記載の収納容器ユニット。
【請求項８】
請求項５乃至７のいずれかに記載の収納容器ユニットと、
外形の一部を構成するパイプと該パイプに固定されて後背面を構成するパンフレームとから成るシートバックと、を備えることを特徴とする収納容器付き車両用シート。
【請求項９】
前記容器取付プレートは、前記パンフレームに取り付けられるプレート取付部を有し、
該プレート取付部は、前記パンフレームを挟んで前記パイプに対向する位置に配置されていることを特徴とする請求項８に記載の収納容器付き車両用シート。
【発明の詳細な説明】
【技術分野】
【０００１】
本発明は、収納容器、収納容器を備える収納容器ユニット及び収納容器付き車両用シートに係り、特に、車両の部品に取り付けられる収納容器、収納容器ユニット及び収納容器付き車両用シートに関する。
【背景技術】
【０００２】
車両のシートバックに取り付けられる収納容器（荷物箱）については従来から知られている（例えば、特許文献１）。
特許文献１に記載された荷物箱は、スナップ−アクション・ファスナーによってシートバックの背裏面に取り付けられているため、車内で使用することも車外に持ち出して使用することも可能となり利便性が向上するというものである。
【先行技術文献】
【特許文献】
【０００３】
【特許文献１】特開２０１２−２３６５４５号公報
【発明の概要】
【発明が解決しようとする課題】
【０００４】
しかし、特許文献１に示された荷物箱は、スナップ−アクション・ファスナーによって、シートバックの背裏面に取付け及び取り外し容易に構成されるものである反面、想定以上の荷重が荷物箱に加わると、シートバックから意図せず外れてしまうおそれがあった。
【０００５】
本発明は、上記の課題に鑑みてなされたものであり、本発明の目的は、車両の部品への収納容器の取付状態を安定的に維持することができ、収納容器の車両の部品への取付作業が容易である収納容器、収納容器ユニット及び収納容器付き車両用シートを提供することにある。
【課題を解決するための手段】
【０００６】
前記課題は、本発明に係る収納容器によれば、車両の部品に取り付けられる上方に開放された収納容器であって、前記車両の部品に取り付けられる第１の壁と、前記第１の壁に接続された第２の壁と、前記第１の壁と前記第２の壁とに接続された側壁と、前記第１の壁における前記車両の部品に取り付ける側の逆側の面に取り付けられるカバーと、を備え、前記第１の壁には、前記車両の部品に係合する下側係合部と上側係合部とが横方向の両側それぞれに配置されており、前記第１の壁の前記横方向の両側に配置された前記下側係合部と前記上側係合部とは、前記横方向にずれて配置されており、前記第１の壁の前記横方向の両側に配置された前記下側係合部及び前記上側係合部のうち一部が螺合部材による螺合によって、残りが弾性変形による復元力によって、前記車両の部品と係合し、前記カバーは、前記下側係合部と前記上側係合部を覆い、前記下側係合部は、前記上側係合部よりも前記横方向において内側に形成され、前記第１の壁は、前記横方向両端側に前記側壁を取り付ける側壁取付部を有し、前記第１の壁における前記横方向における前記側壁取付部と前記下側係合部の間に、前記カバーを取り付けるためのカバー取付部が形成されていることにより解決される。
【０００７】
上記構成のように、収納容器の第１の壁が車両の部品に螺合部材によって螺合されていることで、車両の部品への収納容器の取付状態を安定的に維持することが可能となる。また、車両の部品に第１の壁が弾性変形による復元力によって係合されており、また、下側係合部と上側係合部とが横方向にずれて配置されていることで、収納容器の車両の部品への取付作業が容易となる。
なお、本発明において係合とは、螺合や弾性変形による復元力を利用した固定を含む関係をいう。
【０００８】
また、前記下側係合部は、前記上側係合部よりも前記横方向において内側に形成されていると好ましい。
上記構成によれば、収納容器の開放された上方から手を入れて下側係合部を車両の部品に係合させる際に、上側係合部が障害となることを抑制でき、取付作業性が良好となる。
【０００９】
更に、前記第１の壁に接続された第２の壁と、前記第１の壁と前記第２の壁とに接続された側壁と、前記第１の壁における前記車両の部品に取り付ける側の逆側の面に取り付けられて、前記下側係合部と前記上側係合部を覆うカバーと、を更に備え、前記第１の壁は、前記横方向両端側に前記側壁を取り付ける側壁取付部を有し、前記第１の壁における前記横方向における前記側壁取付部と前記下側係合部の間に、前記カバーを取り付けるためのカバー取付部が形成されていると好ましい。
上記構成によれば、側壁取付部と下側係合部の間、つまり、下側係合部の横方向外側の空間を有効利用してカバーを取り付けることができるため、収納容器の小型化に寄与しつつ、下側係合部と上側係合部をカバーで覆うことでこれらが外れることを抑制でき、収納容器の車両の部品への取付状態を安定維持することができる。
【００１０】
また、前記課題は、本発明に係る収納容器によれば、車両の部品に取り付けられる上方に開放された収納容器であって、前記車両の部品に取り付けられる第１の壁を備え、前記第１の壁には、前記車両の部品に係合する下側係合部と上側係合部とが横方向の両側それぞれに配置されており、前記第１の壁の前記横方向の両側に配置された前記下側係合部及び前記上側係合部のうち一部が螺合部材による螺合によって、残りが弾性変形による復元力によって、前記車両の部品と係合し、前記上側係合部は前記螺合部材であり、前記下側係合部は弾性変形部材であることにより解決される。
上記構成によれば、取付作業の困難な螺合部材が収納容器における開放側である上側に配置されており、取付作業の容易な弾性変形部材が収納容器における開放側の逆側である下側に配置されていることにより、収納容器上方からの車両の部品への取付作業性を良好にすることができる。
【００１１】
また、前記課題は、本発明に係る収納容器によれば、車両の部品に取り付けられる上方に開放された収納容器であって、前記車両の部品に取り付けられる第１の壁と、前記第１の壁に接続された第２の壁と、を備え、前記第１の壁には、前記車両の部品に係合する下側係合部と上側係合部とが横方向の両側それぞれに配置されており、前記第１の壁の前記横方向の両側に配置された前記下側係合部及び前記上側係合部のうち一部が螺合部材による螺合によって、残りが弾性変形による復元力によって、前記車両の部品と係合し、前記第１の壁と前記第２の壁とは、折り畳み可能に接続されており、前記第１の壁における前記下側係合部及び前記上側係合部の前記横方向外側近傍に、前記第２の壁に係合して折り畳み状態に維持する折り畳み係合部が形成されており、前記第１の壁における前記折り畳み係合部の裏側には、前記車両の部品に取り付けられる側に膨出する膨出部が形成されていることにより解決される。
上記構成によれば、第１の壁の下側係合部及び上側係合部の横方向外側近傍であって、第１の壁における折り畳み係合部の裏側に膨出部が形成されていることにより、下側係合部と上側係合部の横方向外側近傍、及び折り畳み係合部による係合部分近傍の剛性を高めることができる。
【００１２】
また、上記課題は、本発明に係る収納容器ユニットによれば、前記収納容器と、前記車両の部品と前記第１の壁との間に配置され、前記収納容器を前記車両の部品に取り付ける容器取付プレートと、を備え、前記下側係合部及び前記上側係合部のうちの前記一部は、前記第１の壁と前記容器取付プレートとを螺合し、前記下側係合部及び前記上側係合部のうちの前記残りは、前記第１の壁と前記容器取付プレートとに係合し、前記容器取付プレートを介して前記収納容器を前記車両の部材に取り付けることにより解決される。
上記構成によれば、上記の収納容器の奏する取付状態を安定的に維持可能にできるという効果を収納容器ユニットによっても享受可能となり、更に、容器取付プレートを介して収納容器を車両の部品に取り付けることができるので、収納容器を車両の部品に取り付けるための構成の制約が緩和され、汎用性を高めることできる。
【００１３】
また、前記容器取付プレートは、前記第１の壁を取り付けるための前記螺合部材と一体的に形成された板状部材を備えるようにしてもよい。
上記構成によれば、容器取付プレートと第１の壁とを螺合する螺合部材が板状部材で補強されていることにより、螺合部材の剛性が高まり、収納容器と容器取付プレートとの取付安定性を高くすることができる。
【００１４】
更に、上記課題は、本発明に係る収納容器付き車両用シートによれば、前記収納容器ユニットと、外形の一部を構成するパイプと該パイプに固定されて後背面を構成するパンフレームとから成るシートバックと、を備えることにより解決される。
上記構成によれば、上記の収納容器の奏する取付状態を安定的に維持可能にできるという効果を収納容器付き車両用シートによっても享受可能となる。
【００１５】
また、前記容器取付プレートは、前記パンフレームに取り付けられるプレート取付部を有し、該プレート取付部は、前記パンフレームを挟んで前記パイプに対向する位置に配置されていると好ましい。
上記構成によれば、プレート取付部がパンフレームを挟んでパイプに対向する位置に配置されているので、パイプに固定されたパンフレームに生じる撓みや振動の影響が少ないため、容器取付プレートとシートバックとの取付安定性を高くすることができる。
また、前記容器取付プレートは、前記第１の壁と対向する面に形成された凹部を有するとよい。
【発明の効果】
【００１６】
本発明によれば、車両の部品への収納容器の取付状態を安定的に維持することができ、収納容器の車両の部品への取付作業が容易となる。
また、本発明によれば、収納容器の小型化に寄与しつつ、下側係合部と上側係合部とが第１の壁から外れることを抑制することができる。
また、本発明によれば、収納容器の小型化に寄与しつつ、収納容器の車両の部品への取付状態を安定維持することができる。
また、本発明によれば、収納容器上方からの車両の部品への取付作業性を良好にすることができる。
また、本発明によれば、側係合部と上側係合部の横方向外側近傍、及び折り畳み係合部近傍の剛性を高めることができる。
また、本発明によれば、収納容器が容器取付プレートを介して車両の部品に取り付けることが可能となるため汎用性を高まることができる。
また、本発明によれば、容器取付プレートとシートバックとの取付安定性を高くすることができる。
【図面の簡単な説明】
【００１７】
【図１】本実施形態に係る収納容器ユニットがパンフレームに取り付けられた状態を示す後ろ側斜視図である。
【図２】本実施形態に係る収納容器ユニットを示す後ろ側斜視図である。
【図３】本実施形態に係る収納容器を示す前側斜視図である。
【図４】前壁の前側を示す背面図である。
【図５】化粧カバーの前側斜視図である。
【図６】化粧カバーを前壁に取り付けた状態を示す断面図であって、図５に示す化粧カバーのVI-VI断面を含む断面図である。
【図７】図２に示す前壁及び化粧カバーのVII-VII断面図である。
【図８】パイプ、パンフレーム及び容器取付プレートの取付状態を示す後ろ側斜視図である。
【図９】本実施形態に係る収納容器ユニットを示す前側斜視図である。
【図１０】容器取付プレートにおける図８のX部を示す拡大図である。
【図１１】パンフレームに容器取付プレート９が取り付けられた状態を示す図１０のXI方向矢視図である。
【図１２】容器取付プレートに収納容器が取り付けられた状態を示す上面図である。
【図１３】二人掛け用シートのパンフレームに容器取付プレートが取り付けられた状態を示す背面図である。
【発明を実施するための形態】
【００１８】
本願発明の実施形態に係る収納容器１、収納容器ユニットＵ及び収納容器付き車両用シートについて、図面を参照して説明する。まず、収納容器ユニットＵの全体の概略構成、及び収納容器１の概略構成について、図１〜図４を参照して説明する。ここで図１は、収納容器ユニットＵがパンフレーム７に取り付けられた状態を示す後ろ側斜視図、図２は、収納容器ユニットＵを示す後ろ側斜視図、図３は、収納容器１を示す前側斜視図、図４は、前壁２の前側を示す背面図である。
【００１９】
収納容器ユニットＵは、車両の部品の一つである図示せぬ一人掛け用シートのシートバックを構成するパンフレーム７に取り付けられる容器取付プレート６と、容器取付プレート６に取り付けられる収納容器１と、から構成される。ここで、車両の部品としては、図示せぬ車両用シートのシートバックを構成するパンフレーム７の他、ドアトリム又は荷室の仕切り壁等が該当し、取付可能な領域を有するものであればどの部品に取り付けるようにしてもよい。容器取付プレート６は、収納容器１をパンフレーム７に取り付けるためのものであり、詳細な構成については後述する。
【００２０】
収納容器１は、乗員の荷物などを収納するものであり、車両の部品に取り付けられる前壁２と、前壁２の下側端部に接続された底壁４と、底壁４における前壁２が接続されている側の逆側に接続された後壁３と、から構成される。より具体的には、前壁２は、鉛直方向から約１０〜３０度だけ後壁３側に傾いた方向（斜め上方向ともいう、以下同じ）に延在している。また、底壁４は、使用状態において下側端部から後ろ方向に延在し、後壁３は、斜め上方向に使用状態において底壁４の後ろ側端部から延在している。
【００２１】
前壁２は、本願発明に係る第１の壁に相当し、前壁２は、樹脂製であり板状である前ベース１１を基礎として構成されている。
前ベース１１は、容器取付プレート６に取り付けられる部位であり、前後方向に厚みを有し、斜め上方向を短手方向、横方向を長手方向として延在している。
【００２２】
更に、前壁２は、前ベース１１の横方向の両端側において、後方向の後述する後壁３側に取り付けられて斜め上方向に延在する前プレート１３を２枚備える。
２枚の前プレート１３は、本願発明に係る側壁取付部に相当し、締結ネジ１４によって前ベース１１にそれぞれ締結されることで、後述する可撓性部材を有する２枚の側壁５のそれぞれの端末を前ベース１１との間でそれぞれ挟持している。
【００２３】
そして、前ベース１１における前プレート１３が取り付けられる部位の裏側である前側には、図３に示すように前方に膨出する膨出部１９が形成されている。このように膨出部１９が形成されていることで、前プレート１３の後述する係合凹部２０が前ベース１１側に掘り下げられて形成されていても、前プレート１３の肉厚が確保されて剛性を保つことができる。
【００２４】
また、前壁２の収納空間に面する側における２枚の側壁５の間には、図２に示すように後述する化粧カバー１６が取り付けられている。化粧カバー１６は、本願発明に係るカバーに相当し、図９に示して後述する締結ボルト６ｈ及び係止クリップ６ｉを収納空間側から覆って外観を良好にするためのものである。
【００２５】
底壁４は、本願発明に係る第２の壁に相当し、収納容器１に収納される収納物を下方から支持するためのものである。底壁４は、樹脂製であり板状である底ベース５１を基礎として構成されている。
底ベース５１は、前ベース１１の下端側に一体的に接続されており、上下方向に厚みを有し、前後方向を短手方向、横方向を長手方向として延在している。
【００２６】
更に、底壁４は、底ベース５１における横方向の両端側に、上側に取り付けられて前後方向に延在する底プレート５３を２枚備える。
２枚の底プレート５３は、後述する可撓性部材を有する２枚の側壁５のそれぞれの端末を底ベース５１との間で挟持している。更に、底プレート５３には、前壁２側である鉛直方向に突出する係合突起５６が一体的に形成されている。この係合突起５６は、前プレート１３において対応する位置に形成された後述する係合凹部２０と係合して、収納容器１を折り畳まれた状態に保持するものである。
【００２７】
後壁３は、収納容器１に収納される収納物を後方から支持するためのものである。後壁３は、樹脂製であり板状である後ベース３１を基礎として構成されている。
後ベース３１は、底ベース５１の後端側に一体的に接続されており、使用状態において前後方向に厚みを有し、斜め上方向を短手方向、横方向を長手方向として延在している。
【００２８】
更に、後壁３は、後ベース３１における横方向の両端側に、使用状態において前側に取り付けられて斜め上方向に延在する後プレート３３を２枚備える。
２枚の後プレート３３は、後述する可撓性部材を有する２枚の側壁５のそれぞれの端末を後ベース３１との間で挟持する。
【００２９】
側壁５は、収納容器１に収納される収納物を側方（横方向）から支持するためのものである。側壁５は、樹脂製であり可撓性を有して形成されており、上記のようにその端末を前壁２、後壁３及び底壁４に接続固定されている。
【００３０】
次に、図１〜図３に加え、図４〜図１２を参照して、収納容器ユニットＵを構成する各部材の相互の取付関係について説明する。図４は、前壁２の前側を示す背面図、図５は、化粧カバー１６の前側斜視図、図６は、化粧カバー１６を前壁２に取り付けた状態を示す断面図であって、図５に示す化粧カバー１６のVI-VI断面を含む断面図、図７は、図２に示す前壁２及び化粧カバー１６のVII-VII断面図、図８は、パイプ８、パンフレーム７及び容器取付プレート９の取付状態を示す後ろ側斜視図、図９は、収納容器ユニットＵを示す前側斜視図、図１０は、容器取付プレート９における図８のX部を示す拡大図、図１１は、パンフレーム７に容器取付プレート９が取り付けられた状態を示す図１０のXI方向矢視図、図１２は、容器取付プレート９に収納容器１が取り付けられた状態を示す上面図である。
【００３１】
前壁２の前ベース１１には、図４に示すように、化粧カバー１６を取り付けるためのカバー係止孔２７ａ，２７ｂ及びカバー掛止孔２７ｃと、容器取付プレート９に取り付けるためのボルト固定用孔２８ａ及びクリップ固定用孔２８ｂと、容器取付プレート６に取り付ける位置を定めるための位置決め突起２９ａと、が形成されている。
【００３２】
具体的には、カバー係止孔２７ａは、横長の方形状であり、前ベース１１の上部に３つ横方向に略均等な間隔で配置されている。カバー係止孔２７ｂは、縦長の方形状であり、カバー係止孔２７ａよりも下方であって、前ベース１１の横方向両側でありカバー係止孔２７ａよりも横方向外側に２つ形成されている。また、カバー掛止孔２７ｃは、本願発明に係るカバー取付部に相当し、略正方形状であり、カバー係止孔２７ｂの下方に３つ横方向に略均等な間隔で配置されている。
【００３３】
化粧カバー１６は、図５に示すように、前ベース１１に取り付けるため、弾性を有するスナップフィット１６ａ，１６ｂと掛止部１６ｃとを前面側に備える。
スナップフィット１６ａは、カバー係止孔２７ａに対応する位置に、スナップフィット１６ｂは、カバー係止孔２７ｂに対応する位置に形成されている。
掛止部１６ｃは、カバー掛止孔２７ｃに差し込まれて支持されるものであり、化粧カバー１６の前方に突出して、下方に屈折して延出してＬ字状に形成されており、カバー掛止孔２７ｃに対応する位置に形成されている。
【００３４】
化粧カバー１６は、図６に示すように、掛止部１６ｃがカバー掛止孔２７ｃに差し込まれて下方で係止し、更に、スナップフィット１６ａがカバー係止孔２７ａ、スナップフィット１６ｂがカバー係止孔２７ｂに押し込まれることによって弾性変形し、その復元力によって係止することで、前ベース１１に取り付けられることとなる。
【００３５】
ボルト固定用孔２８ａは、図９に示す締結ボルト６ｈを通すための孔であり、図４に示すように、前プレート１３の上部であって横方向両端側に形成されている。ここで、締結ボルト６ｈは、本願発明に係る上側係合部に相当し、容器取付プレート９に設けられた後述するナット６ｃに螺合されることで、前プレート１３と容器取付プレート６とを締結するものである。
クリップ固定用孔２８ｂは、図９に示す係止クリップ６ｉを通すための孔であり、図４に示すように、前プレート１３の下部、つまりボルト固定用孔２８ａよりも下方であって横方向両端側、且つ、ボルト固定用孔２８ａよりも横方向内側にずれて形成されている。ここで、係止クリップ６ｉは、本願発明に係る下側係合部及び弾性変形部材に相当し、容器取付プレート９に形成された図１０に示す係止孔６ｐに押し込まれて弾性変形し、その復元力によって、前プレート１３と容器取付プレート６とを固定するものである。
【００３６】
上記のように、クリップ固定用孔２８ｂが、ボルト固定用孔２８ａよりも横方向内側にずれて形成されていることで、収納容器１を容器取付プレート９に対して着脱する作業が容易となる。
具体的には、収納容器１の開放された上側から作業者が手を入れて収納容器１を容器取付プレート９に対して着脱する際に、ボルト固定用孔２８ａがクリップ固定用孔２８ｂよりも横方向外側に配置されているため、これに通された締結ボルト６ｈが障害とならずに、クリップ固定用孔２８ｂに通された係止クリップ６ｉに容易に手が届くこととなる。
【００３７】
更に、カバー掛止孔２７ｃは、横方向両側において、クリップ固定用孔２８ｂの横方向外側、且つ、膨出部１９の横方向内側であって、ボルト固定用孔２８ａの下方に形成されている。このような配置でカバー掛止孔２７ｃが形成されていることにより、前壁２、ひいては収納容器１を必要最小限にコンパクトにすることができる。
具体的には、クリップ固定用孔２８ｂが上記のようにボルト固定用孔２８ａよりも横方向内側に形成されているため、クリップ固定用孔２８ｂの横方向外側にデッドスペースが生じることとなる。このデッドスペースにカバー掛止孔２７ｃを形成することで、当該スペースを有効活用でき、前壁２、ひいては収納容器１の横方向の大きさを必要最小限にコンパクトにすることができる。更に、クリップ固定用孔２８ｂが、膨出部１９よりも横方向内側に形成されていることで、膨出部１９の強度を低下させることなく、膨出部１９の裏側にある後述する係合凹部２０が形成された前プレート１３の強度を保つことができる。
【００３８】
位置決め突起２９ａは、前ベース１１の横方向中央近傍であって、上側にあるカバー係止孔２７ａ及び下側にあるカバー掛止孔２７ｃの図４における右側近傍に上下に２つ配置され、前面から前方に突出して形成されている。このように形成された位置決め突起２９ａの外周面が、図９に示すように、容器取付プレート６の横方向中央近傍に上下に２つ形成された位置決め孔６ｋの内周面に当接することによって、収納容器１の容器取付プレート６への取付位置の位置決めが成される。
【００３９】
底プレート５３の両横側端部には、図２に示すように、上方向に突出する係合突起５６が一体的に形成されている。係合突起５６は、前プレート１３に形成された係合凹部２０に係合して折り畳み状態を維持すものである。
【００４０】
係合突起５６は、使用状態における鉛直方向に長軸、横方向に短軸を有する楕円形状を含んで前後方向に延在しており、収納容器１が折り畳まれた状態において、前プレート１３の中央近傍に形成された後述する係合凹部２０に係合する位置に形成されている。
図１及び図３に示すように、前ベース１１の横方向両端側に配設された２枚の前プレート１３のそれぞれは、長手方向に配された２本の締結ネジ１４によって板厚方向にねじ止めされている。
【００４１】
係合凹部２０は、本願発明に係る折り畳み係合部に相当し、図７に示すように、対向して設けられた２枚の断片２０ａと、２枚の断片２０ａを対向する方向に付勢する弾性補強部２０ｂと、を備えて構成されている。
２枚の断片２０ａは、係合突起５６を受け入れ可能なように、所定の間隔で離間して形成されている。
【００４２】
収納容器１は、パンフレーム７に直接取り付けられるものであってもよいが、図８に示すような収納容器１の取り付けに適した形状を有する容器取付プレート６を介してパンフレーム７に取り付けるようにしてもよい。このように、容器取付プレート６を介して収納容器１を取り付けるようにすることで、様々形状のパンフレーム７に、例えば溶接等によって容器取付プレート６を取り付けることで、収納容器１を容易に安定的に取り付けることができることとなる。
【００４３】
容器取付プレート６は、前後方向に厚みを有して横方向に延在する板状に形成されたプレート本体６ａを主体として構成されるものである。プレート本体６ａは、縦方向及び横方向において前壁２と略同じ大きさで形成されており、プレート本体６ａの中央近傍に配された補強膨出部６ｄと、プレート本体６ａの右側及び下側に配された薄肉部６ｊとを有する。
【００４４】
より具体的には、補強膨出部６ｄは、プレート本体６ａの剛性を高めるために形成されたものであり、長円状を成して後面側から前面側に膨出している。
薄肉部６ｊは、図８中、プレート本体６ａの右側及び下側の範囲において後ろ側の面が周囲よりも窪むように形成されて他の部位よりも薄肉に形成されている。この薄肉部６ｊの機能については後述する。
【００４５】
容器取付プレート６は、パンフレーム７との溶接による接合のために、プレート本体６ａの上部前面側から上側に突出して、横方向に離れて配置された３個の取付舌片６ｍと、プレート本体６ａの前面の下部に横方向に離れて配置された４個の取付膨出部６ｆと、を備える。
【００４６】
具体的には、取付舌片６ｍは、本願発明に係るプレート取付部に相当し、プレート本体６ａの収納容器１との取付面に略平行に形成されており、前後方向に延在して形成されたリブ６ｎによってプレート本体６ａに接続されていることで高い取付剛性が確保されている。また、取付舌片６ｍは、左右に延在するパイプ８に前後に沿う高さで、パンフレーム７に溶接されている。換言すると、取付舌片６ｍは、パンフレーム７を介してパイプ８に対向する位置でパンフレーム７に溶接されている。取付舌片６ｍは、この位置でパンフレーム７に溶接されていることで、パンフレーム７のパイプ８からの撓み及び振動の少ない位置で接合されることとなり、経年使用によってもその取付強度を高く保つことが可能となる。
取付膨出部６ｆは、パンフレーム７の後面に溶接されて接合される部位であり、容器取付プレート６の前面側であって薄肉部６ｊの下側において横方向に所定間隔離れて配置され、前面側から山状に突出して形成されている。
【００４７】
また、容器取付プレート６における収納容器１が取り付けられる面の逆側の面には、本願発明に係る板状部材に相当する補強プレート６ｂが左右方向両側に取り付けられている。補強プレート６ｂには、本願発明に係る螺合部材に相当し締結ボルト６ｈと螺合するナット６ｃが一体的に形成されている。この締結ボルト６ｈとナット６ｃとによって、収納容器１と容器取付プレート６とが締結される。
【００４８】
（収納容器１と容器取付プレート６との配置の干渉抑制について）
上記のように、薄肉部６ｊが後ろ側の面が周囲よりも窪むように形成されていることで、薄肉部６ｊにおける図１中、右側において、収納容器１が容器取付プレート６に取り付けられた状態のときに、前壁２の右側にある膨出部１９が受け入れられるスペースが形成されることとなる。
【００４９】
更に、プレート本体６ａの左端は、収納容器１が容器取付プレート６に取り付けられた状態において、前壁２の左側にある膨出部１９よりも右側に位置する長さで形成されている。換言すると、収納容器１は、図１及び図１２に示すように、プレート本体６ａの左方向に膨出部１９がはみ出すようにプレート本体６ａに取り付けられる。
【００５０】
上記のように、プレート本体６ａが、剛性確保のために前方に膨出して形成された膨出部１９に当接することを横方向両側において避けるように形成されており、収納容器１が容器取付プレート６に配置的に干渉しないように取り付けられている。このため、容器取付プレート６に取り付けられる収納容器１の容器取付プレート６からの後方への張り出し量を抑制することができる。
【００５１】
なお、上記形状のプレート本体６ａは、横方向に広い範囲で取付膨出部６ｆを配置できるため取付安定性に優れ、また、左端が膨出部１９よりも右側に形成されているためコンパクトにすることができる。
しかし、このような構成に本願発明は限定されず、収納容器１と容器取付プレート６との干渉抑制のために、プレート本体６ａの横方向の長さを、横方向両側の膨出部１９の内側に収まる長さとしてもよい。また、収納容器１をプレート本体６ａにはみ出すように構成せずに、プレート本体６ａの横方向両側に薄肉部６ｊを形成するようにして、膨出部１９を受け入れるスペースを形成するようにしてもよい。
【００５２】
（変形例）
上記実施形態においては、一人掛け用シートのシートバックを構成するパンフレーム７に取り付けられる容器取付プレート６及び収納容器１について説明した。しかし、本願発明は、一人掛け用シートのものに取り付けられるものに限られず、図１３に示すような二人掛け用シートのシートバックを構成するパンフレーム７ａに取り付けられるようにしてもよい。
ここで、図１３は、図示せぬ二人掛け用シートのパンフレーム７ａに容器取付プレート９が取り付けられた状態を示す背面図である。
【００５３】
パンフレーム７ａは、一人掛け用シートのパンフレーム７に比べて横方向に長く形成されている。これに応じて、容器取付プレート９のプレート本体９ａも横方向に長く形成されており、プレート本体９ａに形成された補強膨出部９ｄも横方向に長く形成されている。更に、プレート本体９ａに形成されたその他の部位も取付安定性を高めるため必要に応じて多く配置されたり、広い間隔で配置されたりしている。
【００５４】
特に、中央近傍に配された補強膨出部９ｄは、補強膨出部６ｄ同様、プレート本体９ａの剛性を高めるために形成されたものであり、横長の長円における横方向中央に上下方向に幅狭な幅狭部９ｅを有する形状を成して、後面側から前面側に膨出している。
この幅狭部９ｅは、横方向略中央に、上下に形成された２つの位置決め孔９ｇを避けるようために形成されているものである。なお、位置決め孔９ｇは、位置決め孔６ｋと同様に、図示せぬ位置決め突起の周面に当接して、収納容器１のプレート本体９ａへの取付位置を定めるためのものである。
このように、各構成部位を避けるようにして補強膨出部６ｄが長く形成されていることで、横長に形成された容器取付プレート９においても、その剛性を保つことが可能となる。
【００５５】
上記の実施形態は、本願発明の理解を容易にするための一例に過ぎず、本願発明を限定するものではない。本願発明は、その趣旨を逸脱することなく、変更、改良され得るとともに、本願発明にはその等価物が含まれることは勿論である。
【００５６】
本実施形態においては容器取付プレート６，９を介してパンフレーム７，７ａに収納容器１を取り付けるものとして説明した。この様な構成によれば、容器取付プレート６，９が溶接等によってパンフレーム７，７ａに固定できれば、収納容器１を取り付けることができるため、その取付箇所の制限を緩和できるため望ましい。
しかし、本願発明はこのような構成に限定されず、車両の部品に直接収納容器１を取り付けるようにして、容器取付プレート６，９を用いないようにしてもよい。このようにすれば、容器取付プレート６，９の分、部品点数を削減できるため好ましい。
【００５７】
また、上記実施形態においては、前プレート１３の横方向両側における上側にボルト固定用孔２８ａ、下側にクリップ固定用孔２８ｂを設けるものとして説明し、収納容器１の容器取付プレート９への着脱作業性の観点から最も好適な例として説明したが、この構成に限られない。少なくとも、いずれかをボルト固定用孔、残りをクリップ固定用孔とすることで、収納容器１の容器取付プレート９に対する着脱を容易にしつつ、安定的に固定できることとなる。
【符号の説明】
【００５８】
１  収納容器
２  前壁（第１の壁）
３  後壁
４  底壁（第２の壁）
５  側壁
６  容器取付プレート
６ａ  プレート本体
６ｂ  補強プレート（板状部材）
６ｃ  ナット（螺合部材）
６ｄ  補強膨出部
６ｆ  取付膨出部
６ｈ  締結ボルト（上側係合部）
６ｉ  係止クリップ（下側係合部、弾性変形部材）
６ｊ  薄肉部
６ｋ  位置決め孔
６ｍ  取付舌片（プレート取付部）
６ｎ  リブ
６ｐ  係止孔
７，７ａ  パンフレーム
８  パイプ
９  容器取付プレート
９ａ  プレート本体
９ｄ  補強膨出部
９ｅ  幅狭部
９ｇ  位置決め孔
１１  前ベース
１３  前プレート（側壁取付部）
１４  締結ネジ
１６  化粧カバー（カバー）
１６ａ，１６ｂ  スナップフィット
１６ｃ  掛止部
１９  膨出部
２０  係合凹部（折り畳み係合部）
２０ａ  断片
２０ｂ  弾性補強部
２７ａ，２７ｂ  カバー係止孔
２７ｃ  カバー掛止孔（カバー取付部）
２８ａ  ボルト固定用孔
２８ｂ  クリップ固定用孔
２９ａ  位置決め突起
３１  後ベース
３３  後プレート
５１  底ベース
５３  底プレート
５６  係合突起
Ｕ  収納容器ユニット
【図１】
0006346805.tif 000002
【図２】
0006346805.tif 000003
【図３】
0006346805.tif 000004
【図４】
0006346805.tif 000005
【図５】
0006346805.tif 000006
【図６】
0006346805.tif 000007
【図７】
0006346805.tif 000008
【図８】
0006346805.tif 000009
【図９】
0006346805.tif 000010
【図１０】
0006346805.tif 000011
【図１１】
0006346805.tif 000012
【図１２】
0006346805.tif 000013
【図１３】
0006346805.tif 000014